【手続補正書】
【提出日】平成25年12月27日(2013.12.27)
【手続補正１】
【補正対象書類名】明細書
【補正対象項目名】０００７
【補正方法】変更
【補正の内容】
【０００７】
本発明のインクジェット記録装置は、第１の種類のインクと、前記第１の種類と異なる第２の種類のインクと、を吐出するための記録ヘッドを記録媒体上の所定の記録領域に対して走査方向に複数回走査させながら前記第１、第２の種類のインクを吐出することにより、画像を記録するインクジェット記録装置であって、前記複数回の走査のそれぞれで前記所定の記録領域に吐出する前記第１の種類のインクの量の合計に対する比率に関し、前記所定の記録領域に対して前記第１の種類のインクを吐出する複数回の走査として、前記第１の種類のインクを第１の比率で吐出する高記録比率の走査と、前記第１の種類のインクを前記第１の比率より低い比率で吐出する低記録比率の走査と、を設定する第１の設定手段と、前記複数回の走査のそれぞれで前記所定の記録領域に吐出する前記第２の種類のインクの量の合計に対する比率に関し、前記所定の記録領域に対して前記第２の種類のインクを吐出する複数回の走査として、前記第２の種類のインクを第２の比率で吐出する高記録比率の走査と、前記第２の種類のインクを前記第２の比率より低い比率で吐出する低記録比率の走査と、を設定する第２の設定手段と、を備え、所定量の前記第１の種類のインクを前記記録媒体に付与した場合の前記記録媒体に浸透する前記第１の種類のインクの浸透深さは、前記所定量の前記第２の種類のインクを前記記録媒体に付与した場合の前記記録媒体に浸透する前記第２の種類のインクの浸透深さよりも深く、前記第１および第２の設定手段は、前記第１の種類のインクの前記高記録比率の走査を、前記第２の種類のインクの前記高記録比率の走査よりも前の走査に設定することを特徴とする。
【手続補正２】
【補正対象書類名】明細書
【補正対象項目名】０００８
【補正方法】変更
【補正の内容】
【０００８】
本発明のインクジェット記録システムは、記録データに基づいて画像を記録するインクジェット記録装置と、前記記録データを前記インクジェット記録装置に供給する画像処理装置と、を含むインクジェット記録システムであって、前記インクジェット記録装置は、第１の種類のインクと、前記第１の種類と異なる第２の種類のインクと、を吐出するための記録ヘッドを記録媒体上の所定の記録領域に対して走査方向に複数回走査させながら前記第１、第２の種類のインクを吐出することにより画像を記録し、前記インクジェット記録システムは、前記複数回の走査のそれぞれで前記所定の記録領域に吐出する前記第１の種類のインクの量の合計に対する比率に関し、前記所定の記録領域に対して前記第１の種類のインクを吐出する複数回の走査として、前記第１の種類のインクを第１の比率で吐出する高記録比率の走査と、前記第１の種類のインクを前記第１の比率より低い比率で吐出する低記録比率の走査と、を設定する第１の設定手段と、前記複数回の走査のそれぞれで前記所定の記録領域に吐出する前記第２の種類のインクの量の合計に対する比率に関し、前記所定の記録領域に対して前記第２の種類のインクを吐出する複数回の走査として、前記第２の種類のインクを第２の比率で吐出する高記録比率の走査と、前記第２の種類のインクを前記第２の比率より低い比率で吐出する低記録比率の走査と、を設定する第２の設定手段と、を備え、所定量の前記第１の種類のインクを前記記録媒体に付与した場合の前記記録媒体に浸透する前記第１の種類のインクの浸透深さは、前記所定量の前記第２の種類のインクを前記記録媒体に付与した場合の前記記録媒体に浸透する前記第２の種類のインクの浸透深さよりも深く、前記第１および第２の設定手段は、前記第１の種類のインクの前記高記録比率の走査を、前記第２の種類のインクの前記高記録比率の走査よりも前の走査に設定することを特徴とする。
【手続補正３】
【補正対象書類名】明細書
【補正対象項目名】０００９
【補正方法】変更
【補正の内容】
【０００９】
本発明のインクジェット記録装置の制御方法は、インクジェット記録装置を制御するための制御方法であって、前記インクジェット記録装置は、第１の種類のインクと、前記第１の種類と異なる第２の種類のインクと、を吐出するための記録ヘッドを記録媒体上の所定の記録領域に対して走査方向に複数回走査させながら前記第１、第２の種類のインクを吐出することにより画像を記録し、前記制御方法は、前記複数回の走査のそれぞれで前記所定の記録領域に吐出する前記第１の種類のインクの量の合計に対する比率に関し、前記所定の記録領域に対して前記第１の種類のインクを吐出する複数回の走査として、前記第１の種類のインクを第１の比率で吐出する高記録比率の走査と、前記第１の種類のインクを前記第１の比率より低い比率で吐出する低記録比率の走査と、を設定する第１の設定工程と、前記複数回の走査のそれぞれで前記所定の記録領域に吐出する前記第２の種類のインクの量の合計に対する比率に関し、前記所定の記録領域に対して前記第２の種類のインクを吐出する複数回の走査として、前記第２の種類のインクを第２の比率で吐出する高記録比率の走査と、前記第２の種類のインクを前記第２の比率より低い比率で吐出する低記録比率の走査と、を設定する第２の設定工程と、を含み、所定量の前記第１の種類のインクを前記記録媒体に付与した場合の前記記録媒体に浸透する前記第１の種類のインクの浸透深さは、前記所定量の前記第２の種類のインクを前記記録媒体に付与した場合の前記記録媒体に浸透する前記第２の種類のインクの浸透深さよりも深く、前記第１および第２の設定工程は、前記第１の種類のインクの前記高記録比率の走査を、前記第２の種類のインクの前記高記録比率の走査よりも前の走査に設定することを特徴とする。
【手続補正４】
【補正対象書類名】特許請求の範囲
【補正対象項目名】全文
【補正方法】変更
【補正の内容】
【特許請求の範囲】
【請求項１】
第１の種類のインクと、前記第１の種類と異なる第２の種類のインクと、を吐出するための記録ヘッドを記録媒体上の所定の記録領域に対して走査方向に複数回走査させながら前記第１、第２の種類のインクを吐出することにより、画像を記録するインクジェット記録装置であって、
前記複数回の走査のそれぞれで前記所定の記録領域に吐出する前記第１の種類のインクの量の合計に対する比率に関し、前記所定の記録領域に対して前記第１の種類のインクを吐出する複数回の走査として、前記第１の種類のインクを第１の比率で吐出する高記録比率の走査と、前記第１の種類のインクを前記第１の比率より低い比率で吐出する低記録比率の走査と、を設定する第１の設定手段と、
前記複数回の走査のそれぞれで前記所定の記録領域に吐出する前記第２の種類のインクの量の合計に対する比率に関し、前記所定の記録領域に対して前記第２の種類のインクを吐出する複数回の走査として、前記第２の種類のインクを第２の比率で吐出する高記録比率の走査と、前記第２の種類のインクを前記第２の比率より低い比率で吐出する低記録比率の走査と、を設定する第２の設定手段と、を備え、
所定量の前記第１の種類のインクを前記記録媒体に付与した場合の前記記録媒体に浸透する前記第１の種類のインクの浸透深さは、前記所定量の前記第２の種類のインクを前記記録媒体に付与した場合の前記記録媒体に浸透する前記第２の種類のインクの浸透深さよりも深く、
前記第１および第２の設定手段は、前記第１の種類のインクの前記高記録比率の走査を、前記第２の種類のインクの前記高記録比率の走査よりも前の走査に設定することを特徴とするインクジェット記録装置。
【請求項２】
前記第１の種類のインクの前記低記録比率の走査は、前記第１の種類のインクを吐出しない走査を含み、
前記第２の種類のインクの前記低記録比率の走査は、前記第２の種類のインクを吐出しない走査を含むことを特徴とする請求項１に記載のインクジェット記録装置。
【請求項３】
前記第１の種類のインクの前記高記録比率の走査は、複数の走査を含み、
前記第２の種類のインクの前記高記録比率の走査は、複数の走査を含むことを特徴とする請求項１または２に記載のインクジェット記録装置。
【請求項４】
前記記録ヘッドは、前記走査方向と交差する配列方向に配列された前記第１の種類のインクを吐出するための複数の第１のノズルと、前記交差方向に配列された前記第２の種類のインクを吐出するための複数の第２のノズルと、を備え、
前記第１の設定手段は、前記複数の第１のノズルを複数のノズル群に分け、同じノズル群に属する前記第１のノズルに関しては、当該ノズルから前記第１の種類のインクを吐出する比率を同一に設定し、
前記第２の設定手段は、前記複数の第２のノズルを複数のノズル群に分け、同じノズル群に属する前記第２のノズルに関しては、当該ノズルから前記第２の種類のインクを吐出する比率を同一に設定することを特徴とする請求項１から３のいずれか１項に記載のインクジェット記録装置。
【請求項５】
前記第１および第２の設定手段は、マスクパターンを用いて、前記第１および第２のインクを吐出する比率を設定することを特徴とする請求項１から４のいずれか１項に記載のインクジェット記録装置。
【請求項６】
前記記録ヘッドは、前記第１、第２の種類と異なる第３の種類のインクを更に吐出し、
前記複数回の走査のそれぞれで前記所定の記録領域に吐出する前記第３の種類のインクの量の合計に対する比率に関し、前記所定の記録領域に対して前記第３の種類のインクを吐出する複数回の走査として、前記第３の種類のインクを第３の比率で吐出する高記録比率の走査と、前記第３の種類のインクを前記第３の比率より低い比率で吐出する低記録比率の走査と、を設定する第３の設定手段を更に備え、
前記所定量の前記第２の種類のインクを前記記録媒体に付与した場合の前記記録媒体に浸透する前記第２の種類のインクの浸透深さは、前記所定量の前記第３の種類のインクを前記記録媒体に付与した場合の前記記録媒体に浸透する前記第３の種類のインクの浸透深さよりも深く、
前記第２および第３の設定手段は、前記第２の種類のインクの前記高記録比率の走査を、前記第３の種類のインクの前記高記録比率の走査よりも前の走査に設定することを特徴とする請求項１から５のいずれか１項に記載のインクジェット記録装置。
【請求項７】
前記第１、第２の種類のインクは、互いに異なる色材を含有することを特徴とする請求項１から６のいずれか１項に記載のインクジェット記録装置。
【請求項８】
前記第１、第２の種類のインクに含有される前記色材は、それぞれブラック以外の色を示すことを特徴とする請求項７に記載のインクジェット記録装置。
【請求項９】
前記第１、第２の種類のインクに含有される前記色材は、それぞれシアン、マゼンタ、イエローのいずれかの色を示すことを特徴とする請求項８に記載のインクジェット記録装置。
【請求項１０】
第１の種類のインクと、前記第１の種類と異なる第２の種類のインクと、を吐出するための記録ヘッドと記録媒体とを走査方向に相対的に走査させる走査手段と、
前記走査手段による前記記録ヘッドの走査を伴って前記第１、第２のインクを吐出することによって形成される画素を前記記録媒体上の所定の記録領域内に複数形成するように、前記第１、第２の種類のインクの吐出を制御する吐出制御手段と、を有するインクジェット記録装置であって、
所定量の前記第１の種類のインクを前記記録媒体に付与した場合の前記記録媒体に浸透する前記第１の種類のインクの浸透深さは、前記所定量の前記第２の種類のインクを前記記録媒体に付与した場合の前記記録媒体に浸透する前記第２の種類のインクの浸透深さよりも深く、
前記吐出制御手段は、複数の前記画素のうち、前記第１の種類のインク、前記第２の種類のインクの順に吐出することで形成される画素が、前記第２の種類のインク、前記第１の種類のインクの順に吐出することで形成される画素よりも多くなるように、前記第１、第２の種類のインクの吐出を制御することを特徴とするインクジェット記録装置。
【請求項１１】
前記吐出制御手段は、前記複数の画素のすべてに対して前記第１の種類のインク、前記第２の種類のインクの順に吐出するように、前記第１、第２の種類のインクの吐出を制御することを特徴とする請求項１０に記載のインクジェット記録装置。
【請求項１２】
前記第１、第２の種類のインクは、互いに異なる色材を含有することを特徴とする請求項１０または１１に記載のインクジェット記録装置。
【請求項１３】
前記第１、第２の種類のインクに含有される前記色材は、それぞれブラック以外の色を示すことを特徴とする請求項１２に記載のインクジェット記録装置。
【請求項１４】
前記第１、第２の種類のインクに含有される前記色材は、それぞれシアン、マゼンタ、イエローのいずれかの色を示すことを特徴とする請求項１３に記載のインクジェット記録装置。
【請求項１５】
記録データに基づいて画像を記録するインクジェット記録装置と、前記記録データを前記インクジェット記録装置に供給する画像処理装置と、を含むインクジェット記録システムであって、
前記インクジェット記録装置は、第１の種類のインクと、前記第１の種類と異なる第２の種類のインクと、を吐出するための記録ヘッドを記録媒体上の所定の記録領域に対して走査方向に複数回走査させながら前記第１、第２の種類のインクを吐出することにより画像を記録し、
前記インクジェット記録システムは、
前記複数回の走査のそれぞれで前記所定の記録領域に吐出する前記第１の種類のインクの量の合計に対する比率に関し、前記所定の記録領域に対して前記第１の種類のインクを吐出する複数回の走査として、前記第１の種類のインクを第１の比率で吐出する高記録比率の走査と、前記第１の種類のインクを前記第１の比率より低い比率で吐出する低記録比率の走査と、を設定する第１の設定手段と、
前記複数回の走査のそれぞれで前記所定の記録領域に吐出する前記第２の種類のインクの量の合計に対する比率に関し、前記所定の記録領域に対して前記第２の種類のインクを吐出する複数回の走査として、前記第２の種類のインクを第２の比率で吐出する高記録比率の走査と、前記第２の種類のインクを前記第２の比率より低い比率で吐出する低記録比率の走査と、を設定する第２の設定手段と、を備え、
所定量の前記第１の種類のインクを前記記録媒体に付与した場合の前記記録媒体に浸透する前記第１の種類のインクの浸透深さは、前記所定量の前記第２の種類のインクを前記記録媒体に付与した場合の前記記録媒体に浸透する前記第２の種類のインクの浸透深さよりも深く、
前記第１および第２の設定手段は、前記第１の種類のインクの前記高記録比率の走査を、前記第２の種類のインクの前記高記録比率の走査よりも前の走査に設定することを特徴とするインクジェット記録システム。
【請求項１６】
インクジェット記録装置を制御するための制御方法であって、
前記インクジェット記録装置は、第１の種類のインクと、前記第１の種類と異なる第２の種類のインクと、を吐出するための記録ヘッドを記録媒体上の所定の記録領域に対して走査方向に複数回走査させながら前記第１、第２の種類のインクを吐出することにより画像を記録し、
前記制御方法は、
前記複数回の走査のそれぞれで前記所定の記録領域に吐出する前記第１の種類のインクの量の合計に対する比率に関し、前記所定の記録領域に対して前記第１の種類のインクを吐出する複数回の走査として、前記第１の種類のインクを第１の比率で吐出する高記録比率の走査と、前記第１の種類のインクを前記第１の比率より低い比率で吐出する低記録比率の走査と、を設定する第１の設定工程と、
前記複数回の走査のそれぞれで前記所定の記録領域に吐出する前記第２の種類のインクの量の合計に対する比率に関し、前記所定の記録領域に対して前記第２の種類のインクを吐出する複数回の走査として、前記第２の種類のインクを第２の比率で吐出する高記録比率の走査と、前記第２の種類のインクを前記第２の比率より低い比率で吐出する低記録比率の走査と、を設定する第２の設定工程と、を含み、
所定量の前記第１の種類のインクを前記記録媒体に付与した場合の前記記録媒体に浸透する前記第１の種類のインクの浸透深さは、前記所定量の前記第２の種類のインクを前記記録媒体に付与した場合の前記記録媒体に浸透する前記第２の種類のインクの浸透深さよりも深く、
前記第１および第２の設定工程は、前記第１の種類のインクの前記高記録比率の走査を、前記第２の種類のインクの前記高記録比率の走査よりも前の走査に設定することを特徴とするインクジェット記録装置の制御方法。